(57)【要約】  【目的】装置内の温度変化によって光ピックアップのサーボの自動再調整を簡易な温度検知手段を用いて行う光ディスク装置を提供する。  【構成】光ディスク装置１０は、ＲＦ回路３、ＤＳＰ回路５、ドライバー４、スピンドルモータ６などを備え、装置内の温度Ｔを検知し、その変化量ΔＴが予め設定されたレベルＴmaxを超えると、光ピックアップ１のサーボの再調整を行うようにマイコン８が制御する機能を有しており、特に、光ピックアップ１のレーザーダイオードＬｄの出力を一定に保つように制御するＲＦ回路内のオートパワーコントロール回路２のコントロール信号Ｓをマイコン８内のＡＤコンバータ７でデジタル信号に変換した信号を温度検知信号ＤＴとしてＣＰＵが光ピックアップ１近傍の温度Ｔの変化量ΔＴを判定する構成である。【選択図】  図１
2006127670.tif 000002
【特許請求の範囲】
【請求項１】
装置内の温度を検知し、前記温度の変化量が予め設定されたレベルを超えると、光ピックアップのサーボの再調整を行うようにコンピュータが制御する機能を有する光ディスク装置であって、
前記光ピックアップのレーザーダイオードの出力を制御するオートパワーコントロール回路のコントロール信号をデジタル信号に変換した信号を温度検知信号として前記コンピュータが前記光ピックアップ近傍の温度の変化量を判定することを特徴とする光ディスク装置。
【請求項２】
請求項１に記載の光ディスク装置において、コンピュータによる光ピックアップのサーボの再調整の制御を、光ディスクのＴＯＣ情報とサブチャンネルコードの読み取りから得られた再生中の無出力部分の時間帯にて行うことを特徴とする光ディスク装置。
【発明の詳細な説明】
【技術分野】
【０００１】
本発明は、光ディスク装置（ＭＤ、ＣＤ、ＤＶＤなどの光ディスクに記録された情報を光ピックアップで光学的に読み取る機能を備えた再生装置または記録再生装置。）の光ピックアップのサーボの調整に関する技術分野に属する。
【背景技術】
【０００２】
光ディスク装置、特に車載用オーディオ機器に用いられる光ディスク装置は、現行で−３０℃から８５℃という広範囲の温度領域で動作することが要請されており、最近では、さらに厳しく−４０℃まで動作することが求められつつある。
【０００３】
これだけの温度差があると必然的にメカニック部品や電気部品の寸法、特性も変化してしまい、光ディスクの再生が不安定になったり、ときには再生できないことがある。
【０００４】
例えば、真冬に会社の帰りに暖房の効いた車内で音楽ＣＤなどのディスクをオーディオ機器の光ディスク装置に入れて音楽を聴いたまま、その状態で次の朝、エンジンをかけたときに、装置内温度が下がっているために再生できないことがある。その後、車室内の温度が上がってくると正常に動作することがある。これは光ディスク装置内の温度変化により、光ピックアップのサーボ機構（フォーカスサーボ、トラッキングサーボ、スピンドルサーボ、スレッドサーボなど）の各調整値（オフセット値、バランス）がずれてしまったために起こる症状である。
【０００５】
即ち、従来の光ディスク装置では、元来、光ピックアップなどの部品や光ディスク自身のばらつきがあるために、光ディスクを装置に挿入したとき、光ピックアップのオフセット値、トラッキングバランス、フォーカスバランスなどのサーボの調整を再生の開始前に自動で行っている。しかし、光ディスクを挿入したままであると、温度の変化で部品の特性が変化した場合に上記の例のようなことが起きてしまう。
【０００６】
従来の光ディスク装置では、上記のような事態が起きないように不十分ながら温度変化の少ない部品または温度変化に対応した部品を使用している。
【０００７】
しかしながら光ピックアップは、図４、図５、図６に示された実際の光ピックアップの一例（松下電器社製光ピックアップ型番１４３Ａの５個のテスト）の−３０℃〜９０℃の各項目の温度特性のグラフから判るように大きく変化している（例えばレーザーダイオードに流れる電流値ＩＯＰは６Ｏ％の変化量であり、フォーカスエラーＦＥｐｐの変化率は４０％に達している。）。而して、現行以上に動作温度補償を要求されると対応が出来なくなってしまう可能性がある。
【０００８】
なお、図４の（ａ）はレーザーダイオードに流れる電流値ＩＯＰの温度変化率、（ｂ）はジッタの温度変化率、（ｃ）は光ピックアップの電気出力ＲＦｐｐの温度変化率、（ｄ）はフォーカスエラーＦＥｐｐの温度変化率、（ｅ）はフォーカスエラーのオフセットＦＥoffsetの温度変化率であり、図５の（ａ）はフォーカスエラーＦＥセンタズレの温度変化率、（ｂ）はトラッキングエラーＴＥｐｐの温度変化率、（ｃ）はトラッキングエラーＴＥバランスの温度変化率、（ｄ）はＥ−Ｆ位相差の温度変化率、（ｅ）はＩＯＰの絶対値の温度変化であり、図６の（ａ）はＥ−Ｆ位相差の温度変化、（ｂ）はＦＥｐｐの絶対値の温度変化、（ｃ）はＲＦｐｐの絶対値の温度変化、（ｄ）はＴＥｐｐの絶対値の温度変化である。
【０００９】
この点、光ディスク装置における装置内の広範囲の温度変化に対し、光ピックアップのサーボ関連の再調整を自動で行う技術が下記［特許文献１］、［特許文献２］、［特許文献３］などで提案されている。
【００１０】
［特許文献１］には、光ディスク装置（実施例としてＭＤレコーダ）のトラッキングサーボのトラッキングオフセットの自動調整手段として、装置内の温度、特に光ピックアップ近傍の温度を検知する温度センサを温度検出手段とする構成が示されている。
【００１１】
［特許文献２］には、光ディスク装置の温度変化に対するフォーカスオフセット値やトラッキングオフセット値またはレーザー出力値の再設定手段として、装置内の温度を測定する温度測定手段として温度センサを光ピックアップの外面の側面に取り付ける手段が記載されている。
【００１２】
［特許文献３］には、光ディスク装置の再生動作中にも温度変化に対する光ピックアップのオフセット調整を可能にするものとして、装置内の温度変化量の監視手段（実施例としては温度センサを検知手段とする。）とバッファメモリに格納された読み取りデータの格納量の監視手段を備える構成が開示されている。
【００１３】
【特許文献１】特開平１０−２８３６４５号公報
【００１４】
【特許文献２】特開２００２−１０９７７２号公報
【特許文献３】特開２００４−２４１０６９号公報
【発明の開示】
【発明が解決しようとする課題】
【００１５】
上記［特許文献１］〜［特許文献３］に記載された光ディスク装置は、何れも装置内（特に光ピックアップ近傍）の温度検知手段として、光ピックアップに取り付けた温度センサを利用している。
【００１６】
然るに、その温度センサとそれより検出信号を出力する温度検出回路を別途必要としてコスト的に問題がある。また、ピックアップに温度センサを取り付けるスペースを確保せねばならず、配線の引き回しも容易ではない。
【００１７】
次に、従来の温度変化に対する光ピックアップのサーボの再調整は、光ディスクへの記録或いは再生の停止状態で行われることを前提にするか、所謂ショックプルーフメモリ（ＭＤで利用されているデータ圧縮技術に拠るディスクからの読み込みデータの一時蓄積のためのバッファメモリ）を利用して、再調整中はディスクからの読み込みを一旦停止して専ら前記ショックプルーフメモリからの読み出し再生を行って、再生を中断させずに再調整を実行することが行われている。
【００１８】
しかしながら、温度変化に対する光ピックアップのサーボの再調整のためにディスク再生を中断することは好ましくないし、上記ショックプルーフメモリを利用する手段は、それを再生装置の構成要素とするデータ圧縮技術を適用したＭＤ再生装置やショックプルーフメモリを搭載したＣＤ再生装置などでは有効であるが、ショックプルーフメモリを搭載していない再生装置では適用できない手段である。
【００１９】
この点、車載用のオーディオ機器（ＣＤ再生装置など）に用いられている光ディスク装置では、衝撃に対する対策は振動に強いフレーム構造にするといったメカニック的な対策で対処するようにして、良好な音質を得る観点とコスト的な観点からデータ圧縮技術を前提とするショックプルーフメモリを搭載していない光ディスク装置が大勢を占めている。
【００２０】
本発明は上記事情に鑑みてなされたものであり、特に、使用環境の温度変化の激しい車両に搭載されることを前提とする車載用の光ディスク装置における温度変化に対する光ピックアップのサーボの自動再調整を安価に且つ再生中にも可及的に再生を妨げずに行えるようにした光ディスク装置を提供することを目的とする。
【課題を解決するための手段】
【００２１】
本発明は、
（１）装置内の温度を検知し、前記温度の変化量が予め設定されたレベルを超えると、光ピックアップのサーボの再調整を行うようにコンピュータが制御する機能を有する光ディスク装置であって、前記光ピックアップのレーザーダイオードの出力を制御するオートパワーコントロール回路のコントロール信号をデジタル信号に変換した信号を温度検知信号として前記コンピュータが前記光ピックアップ近傍の温度の変化量を判定することを特徴とする光ディスク装置を提供することにより、上記課題を解決する。
（２）上記（１）に記載の光ディスク装置において、コンピュータによる光ピックアップのサーボの再調整の制御を、光ディスクのＴＯＣ情報とサブチャンネルコードの読み取りから得られた再生中の無出力部分の時間帯にて行うことを特徴とする光ディスク装置を提供することにより、上記課題を解決する。
【発明の効果】
【００２２】
本発明に係る光ディスク装置は、上記のように光ピックアップのレーザーダイオードの出力を制御するオートパワーコントロール回路（ＡＰＣ回路）のコントロール信号を温度検知に利用する構成のため、温度センサ及び温度検出信号生成回路を必要とせず、安価且つ簡単な構成で、装置内の温度の変化量が所定レベルを越えるときに光ピックアップのサーボの再調整が自動で行われて、温度変化が大きい状況にあっても適切な光ディスクの再生を行うことができる。
【００２３】
また、上記光ピックアップのサーボの再調整は、光ディスクのリードインエリアのＴＯＣ情報とデータエリアのサブチャンネルコードの読み取りから得られた再生中の無出力部分（無音部分）の時間帯にて行われるので、ショックプルーフメモリを備えていない光ディスク装置においても、再生を中断せずに光ピックアップのサーボの自動再調整を行うことができる。
【発明を実施するための最良の形態】
【００２４】
本発明に係る光ディスク装置の実施の形態について図面に基づいて説明する。
【００２５】
図１は本発明に係る光ディスク装置を説明するためのブロック図である。図２は本発明の実施の形態で用いるＩＣチップ化されたＡＰＣ回路を含むＲＦ回路のＩＣブロックと光ピックアップ及びそのドライバー部分の回路図である。図３は本発明に係る光ディスク装置におけるコンピュータが実行する再調整のアルゴリズムのフロー図である。
【００２６】
図１または図２において、光ディスク装置１０は、装置内の温度Ｔを検知し、前記温度Ｔの変化量ΔＴが予め設定されたレベルＴmaxを超えると、光ピックアップ１のサーボの再調整を行うようにコンピュータ（マイコン）８が制御する機能を有する構成であって、特に、前記光ピックアップ１のレーザーダイオードＬｄの出力を制御するオートパワーコントロール（ＡＰＣ）回路２のコントロール信号Ｓをマイコン８内のＡＤコンバータ（ＡＤ／Ｃ）７でデジタル信号に変換した信号を温度検知信号ＤＴとして前記コンピュータ８のＣＰＵが前記光ピックアップ１近傍の温度Ｔの変化量ΔＴを判定する構成となっている。
【００２７】
なお、図１の光ディスク装置１０には、レーザーダイオードＬｄの出力を一定に保つための前記オートパワーコントロール（ＡＰＣ）回路２を含むＲＦ回路３と、データの増幅、データ処理、サーボ信号出力及びオーディオ信号出力を含めたＤＳＰ（Digital Signal Processor）回路５と、サーボ信号の増幅などを行うドライバー４と、光ディスク１１を回転駆動するスピンドルモータ６、とを備えている。参考のために公知技術で用いられ本発明では不要な温度センサ１４と温度検出回路１３を点線枠で表した。
【００２８】
次に、本発明の主旨である、光ピックアップ１のレーザーダイオードＬｄの出力を制御するオートパワーコントロール（ＡＰＣ）回路２のコントロール信号Ｓについて具体的に詳述する。
【００２９】
図２のＡＰＣ回路２を含むＲＦ回路３のＩＣチップ回路（東芝製型番ＴＡ２１５７Ｆ／ＦＮ）と光ピックアップ１とそのドライバー回路部分４´を表す回路図に示されるように、ＲＦ回路３のＩＣ内に内包されているＡＰＣ回路２では、光ピックアップ１に内臓されているレーザーダイオードＬｄの出力をモニターするモニターダイオードＭｄの電圧を６ピン（ＭＤＩ）から入力して比較器（ＯＰ１）に入れオペアンプＯＰ２で増幅された出力が抵抗１ｋΩを介して７ピン（ＬＤＯ）からレーザーダイオードＬｄのドライバー回路４´の出力トランジスタＴｒのベース電位を制御するコントロール信号Ｓとして出力している。
【００３０】
本発明では、このコントロール信号Ｓを用いて装置内の温度変化を検出する。好ましくは図２におけるＡＰＣ回路２のオペアンプＯＰ２の出力（Ａ点）をそのまま温度検知信号として利用するのが電圧変化量が大きいので最適であるが、本例では、ＩＣ内で前記ＯＰ２の出力に１ｋΩの抵抗が介在しているので、そのままでは７ピン（ＬＤＯ）端子にはトランジスタＴｒのベース・エミッタ間電圧しか出てこないので、抵抗Ｒ１を外付けで追加して変化を検出している。
【００３１】
以上のように、本発明では装置内の温度変化を検出する手段として、従来のように温度センサ１４や温度検出回路１３を用いずに、既存のＡＰＣ回路２のコントロール信号Ｓを取り出してコンピュータ８による判定を行っている。
【００３２】
図５の（ｅ）のレーザーダイオードＬｄに流れる電流値ＩＯＰの絶対値の温度変化のグラフや図４の（ａ）のＩＯＰの温度変化率のグラフからわかるように、レーザーダイオードＬｄの出力は温度変化に対してリニアに大きく変化するので、レーザーダイオードＬｄの出力を一定に保つように制御するためのＡＰＣ回路２のコントロール信号Ｓは、温度検知信号として十分に温度センサ１４と温度検出回路１３の代替としての作用を有することが理解される。
【００３３】
なお、本発明でサーボの再調整の対象は従来の調整対象と同様に、フォーカスサーボ、トラッキングサーボ、スピンドルサーボ、スレッドサーボなどの各調整値（オフセット値、バランス）であり、特に制限はない。
【００３４】
次に、本発明における前記コンピュータ８による光ピックアップ１のサーボの再調整は、光ディスク１１（典型としてＣＤ）のリードインエリアのＴＯＣ（Table of Contents）情報及びデータエリアのサブチャンネルコード（Ｑチャンネル）の読み取りから得られた情報に基づいて再生中の無出力部分の時間帯にて行なわれることを特徴とする。
【００３５】
上記無出力部分の時間帯とは、例えば音楽ＣＤの再生における無音部分の時間帯であり、曲の始め、曲間、終わりにおける数秒間（４秒間程度）がこれに該当する。
【００３６】
上記無出力部分（無音部分）は、ディスク再生の始めに読み出されてメモリ装置に記録されるリードインエリアのＴＯＣ情報（楽曲のインデックス）とデータエリアのサブコード（音楽ＣＤにおけるＱチャンネルデータのＤＡＴＡ−Ｑ）から簡単に検出できる。
【００３７】
以下、図３のフロー図に基づいてコンピュータ８の実行する再調整の制御アルゴリズムを説明すると、光ディスク装置が再生動作を開始すると、（Ｓ１）先ずサーボ機構の始めの調整が行われ、（Ｓ２）続いてディスクのＴＯＣ情報を読み出してメモリ装置に記憶し、（Ｓ３）ＡＰＣ回路のコントロール信号からマイコンが光ピックアップの温度を検出してメモリ装置に記憶し、（Ｓ４）ディスクのデータエリアの読み出し再生がスタートする。
【００３８】
（Ｓ５）以降、光ピックアップのレーザーダイオードの出力を制御するＡＰＣ回路のコントロール信号をＡＤ／Ｃでデジタル信号に変換した信号によって先にメモリ装置に記憶された温度との差分である温度変化量ΔＴをモニターして、（Ｓ６）温度変化量ΔＴが所定レベルＴmax（例えば±２０度）を越えたか否かを判定して、越えていた場合（Ｙ）は、（Ｓ７）再生中における無音部分に至ったか否かを判断して、（Ｓ８）最初に至った時点で光ピックアップのサーボの再調整を実行する。この再調整は温度変化に応じて何度でも実行されうるものであり、例えばフォーカスサーボ、トラッキングサーボ、スピンドルサーボ、スレッドサーボなどで、トラッキングエラー信号、フォーカスエラー信号などによるフィードバック制御が行われる。これらの調整の制御内容は公知技術と同様である。なお、サーボの再調整に要する時間は再生時の無音部分における数秒内で完了する程度の短い時間であり、ユーザーの音楽聴取において違和感を与えることはない。
【００３９】
勿論、上記サーボの再調整は温度の広範囲の変化によって再生が不安定になる前に行われることが肝要である。上記再調整の要否を判定するための所定レベルＴmaxの値は上記を踏まえて設定されなければならない。
【図面の簡単な説明】
【００４０】
【図１】本発明に係る光ディスク装置を説明するためのブロック図である。
【図２】本発明で用いるＩＣチップ化されたＡＰＣ回路を含むＲＦ回路のＩＣブロックと光ピックアップ及びそのドライバー部分の回路図である。
【図３】本発明に係る光ディスク装置におけるコンピュータが実行する再調整のアルゴリズムのフロー図である。
【図４】現実の光ピックアップにおける、−３０℃〜９０℃の温度特性のグラフであり、（ａ）はレーザーダイオードに流れる電流値ＩＯＰの温度変化率、（ｂ）はジッタの温度変化率、（ｃ）は光ピックアップの電気出力ＲＦｐｐの温度変化率、（ｄ）はフォーカスエラーＦＥｐｐの温度変化率、（ｅ）はフォーカスエラーのオフセットＦＥoffsetの温度変化率である。
【図５】前記光ピックアップにおける、（ａ）はフォーカスエラーＦＥセンタズレの温度変化率、（ｂ）はトラッキングエラーＴＥｐｐの温度変化率、（ｃ）はトラッキングエラーＴＥバランスの温度変化率、（ｄ）はＥ−Ｆ位相差の温度変化率、（ｅ）はＩＯＰの絶対値の温度変化である。
【図６】前記光ピックアップにおける、（ａ）はＥ−Ｆ位相差の温度変化、（ｂ）はＦＥｐｐの絶対値の温度変化、（ｃ）はＲＦｐｐの絶対値の温度変化、（ｄ）はＴＥｐｐの絶対値の温度変化である。
【符号の説明】
【００４１】
１    光ピックアップ
２    オートパワーコントロール（ＡＰＣ）回路
３    ＲＦ回路
４´、４    ドライバー
５    ＤＳＰ回路
６    スピンドルモータ
７    ＡＤコンバータ
８    コンピュータ（マイコン）
１１    光ディスク
１３    温度検出回路
１４    温度センサ
１０    光ディスク装置
ＤＴ      温度検知信号
Ｔ    装置内の温度
ΔＴ    （温度の）変化量
Ｔmax  所定レベル
Ｓ    コントロール信号
Ｌｄ    レーザーダイオード
Ｍｄ    モニターダイオード
【図１】
2006127670.tif 000003
【図２】
2006127670.tif 000004
【図３】
2006127670.tif 000005
【図４】
2006127670.tif 000006
【図５】
2006127670.tif 000007
【図６】
2006127670.tif 000008